(57)【要約】  超電導線をレーストラック状に巻線した単コイル１を、回転磁界を発生させようとする領域２の中心Ｏとして同心状に内側Ａ，Ｂ，Ｃの３個、その外側にＸ，Ｙ，Ｚの３個ずつ少なくとも２層配置し、内層並びに外層の各コイルは互いに１２０°ずつずらして内層コイルと外層コイルとが対極に配置され、互いに対向する外層コイルと内層コイルとで形成される磁束の方向が同一方向となるように三相交流が通電されるようにして、１８０°配置の亀の子状マグネットと同じ磁界分布をレーストラック形状ないし円筒形状の超電導マグネットで実現するようにしている。【特許請求の範囲】
【請求項１】
超電導線をレーストラック状に巻線した単コイルを、回転磁界を発生させようとする領域の中心を中心として同心状に内側に３個、その外側に３個ずつ少なくとも２層配置し、前記内層並びに外層の各コイルは互いに１２０°ずつずらして前記内層コイルと前記外層コイルとが対極に配置され、互いに対向する前記外層コイルと前記内層コイルとで形成される磁束の方向が同一方向となるように三相交流が通電される超電導マグネット。
【請求項２】
前記外層コイルは前記内層コイルの巻線よりも距離に按分して多く巻かれ磁界中心において発生する磁束密度を同じにしたものである請求項１記載の超電導マグネット。
【請求項３】
前記外層コイルと前記内層コイルの中心角は同じである請求項１記載の記載の超電導マグネット。
【請求項４】
前記外層のコイルは内層のコイルよりも縦方向を大きくして、前記内層のコイルの横方向の両端部が前記外層のコイルの中に入り込むことができるようにすることで、外層と内層のコイルを接近させたものである請求項１記載の超電導マグネット。
【請求項５】
前記単コイルは巻枠に固定されているものである請求項１記載の超電導マグネット。
【請求項６】
前記巻枠は、コイル胴体と、その両側縁でそれぞれコイルの脱落を防止する第１及び第２のフランジとを備え、前記第１及び第２のフランジの間に装入された複数のスペーサの間に前記コイルが巻回されているものである請求項１記載の超電導マグネット。
【請求項７】
前記コイル胴体の上下端には、コイル固定用のねじ穴が穿孔されている固定部が備えられ、該ねじ穴を利用して吊下げ用アングルをねじ止めして、上下方向に吊り下げ固定されるものである請求項６記載の超電導マグネット。
【請求項８】
前記外層コイルの両フランジ部には、さらにストレート部を固定するためのストレート部固定用ねじ穴を設け、巻線の上から板を当て、その板を巻枠にねじ込み強く押し当てることにより巻線の固定を強化しているものである請求項６記載の超電導マグネット。
【請求項９】
前記内層コイル並びに外層コイルのそれぞれのフランジの少なくとも一方には、ヘリウムガスを巻枠の外に抜くためのガス抜き穴が設けられ、前記スペーサで区切られた各段の超電導線の間からヘリウムガスを抜き出して、ヘリウム液が循環して超電導線が冷却されるように設けられているものである請求項６記載の超電導マグネット。
【請求項１０】
請求項１記載の超電導マグネットを用いる磁場発生装置。
【請求項１１】
請求項１０記載の磁場発生装置は電磁撹拌装置であり、溶融状態の導電性物質を収容する容器と、前記容器の周りに配置される請求項１記載の超電導マグネットを配置し、前記容器内に容れられた溶融状態の導電性物質に対して前記容器の周方向に移動する回転磁力線を発生させる電磁撹拌装置。
【請求項１２】
前記溶融状態の導電性物質が溶融金属である請求項１１記載の電磁撹拌装置。
【請求項１３】
請求項１０記載の電磁場発生装置をステータコイルあるいは電機子コイルとして用いる電動機。
【請求項１４】
請求項１記載の超電導マグネットを用いて発電する発電機。
【発明の詳細な説明】
【技術分野】
【０００１】
本発明は超電導マグネット並びにそれを用いた電磁撹拌装置、電動機及び発電機に関する。さらに詳述すると、本発明は、交流電流により磁界を発生させるのに適した超電導マグネット、さらには貫通磁束により回転磁場を発生させる磁場発生装置並びにその回転磁場を利用して非接触で溶融状態にある導電性物質例えば溶融金属を撹拌する電磁撹拌装置、電動機及び発電機に関する。
【背景技術】
【０００２】
一般に電磁撹拌装置などの回転磁界を発生させる磁場発生装置に用いられるマグネットとしては、銅やアルミなどの常伝導金属を図２４に示すような亀の子状に巻回したものが用いられている。例えば、特許文献１の電磁撹拌装置においては、図２８に示すように亀の子状のコイル１０１が回転磁界を発生させるマグネットとして採用され、溶融金属を収める坩堝１０２の周囲に６０°置きに６個配置され、３相２極で回転磁界を印加するように設けられている。説明を簡単にするため、図２５に示すように、３個の亀の子状コイルを１８０°置きに配置した亀の子状マグネットを想定し、その回転磁界分布図を図２６に示す。この回転磁界分布図から解るように、理想的な形状・配置の亀の子状マグネットの場合、溶融金属さらには坩堝の中心を貫通する磁束が形成され、ほぼ均一で乱れのない磁場が形成されるため、回転磁界を得るには理想的な巻線構造と考えられている。また、磁界の時間変化も図２７に示すように中心並びにその周辺では安定したものとなっている。このような回転磁界は、坩堝の中の撹拌対象たる溶融金属の中に磁場がかからない部分が発生しないため、圧力が無くなってしまって圧力勾配が部分的にできてしまうことがない。このため、撹拌する溶融金属の逆流が起こることがなく、溶融金属が振動したり、坩堝全体ががたつくなどの問題を生ずる虞が無く、効率の良い撹拌を可能とすることができる。【０００３】
また、酸化物超電導体から成る電線を巻回した空芯コイルによって回転磁界を得ようとする電磁撹拌装置も提案されている（特許文献２）。この電磁撹拌装置では、酸化物超電導導体の空芯コイルを電磁シールドに収めて冷却媒体と共に鋳型の周りに配置されたタンクに収納して、三相電流を供給して回転磁界を発生させて鋳型内の溶鋼を撹拌するようにしている。【０００４】
また、上述の電磁撹拌装置のような電磁発生装置の他、例えば電動機及び発電機などの超電導マグネットを利用した装置においても、強磁場を得るために超電導マグネット、中でも交流超電導マグネットを用いることが望まれている。この交流超電導マグネットにおいては、通電中の交流損失などに起因する発熱によって臨界電流値が低下したり、巻線の温度が臨界温度を越えて上昇して瞬時に常伝導性に転移する、いわゆるクエンチを起こすなどの超電導特性上の障害が起こり易い。また、超電導コイル自体の発生磁場と電流とにより超電導線に作用する大きな電磁力によって、交流通電時には、超電導線が振動してクエンチ電流値を低下させるという問題もある。このため、コイル要素（線材）間の固定が十分でなければならないが、その反面、超電導線材は過大な外力を加えると超電導特性の劣化が発生する虞がある。更には、巻枠として円筒形以外のもの、例えば曲線部と直線部とを併せ持つレーストラック形状の巻枠を用いる場合には、線材を巻枠に押しつける力がほとんど０に近い直線部において超電導線材が大電流密度と強い交番磁界の影響により大きな電磁振動を生じ易く、これに起因する発熱でクエンチに至る虞もある。そこで、従来の交流超電導マグネットは、円筒形の巻枠を用い、コイル巻枠に超電導線を巻回した後にエポキシ樹脂などを含浸させて固定したり、あるいはエポキシ樹脂を予め含浸させた超電導線材を所定の張力をかけて巻回し樹脂で固めるように製作されている（特許文献３，４）。【０００５】
【特許文献１】特開２００３−２２０３２３号
【特許文献２】特開平１−１８１９５４号
【特許文献３】特開平９−２８９１１２号
【特許文献４】特開平９−１０２４１４号
【非特許文献１】綾田研三：移動磁界の利用技術（西山記念技術講座、pp.105-123, 第129回, 平成元年5月10日、東京、日本鉄鋼協会）
【発明の開示】
【発明が解決しようとする課題】
【０００６】
しかしながら、常伝導金属による亀の子状マグネットを用いた電磁撹拌装置によると、ほぼ均一で乱れのない理想的な磁場が形成されるため、撹拌する溶融金属の逆流を起こさずに効率の良い撹拌を可能とすることができるが、通電による発熱の影響などから、大電流を印加することができず、電磁撹拌に限界がある。【０００７】
他方、超電導線によるマグネットでは、図２４のような亀の子形状のコイルを巻線することは、端部(屈曲部)において数ｍｍの曲率半径で曲げる必要があることからストレスに弱い超電導線の巻線に大きなダメージを与える可能性があり、現在の製造技術レベル（線材製造レベル、巻線レベル）では、歪な形をした変形亀の子コイルは可能であっても、理想的な亀の子形状に巻き線することは非常に困難がある。しかも、歪な形状のコイルでは、通電した際に受ける電磁力から電磁力振動が発生し、運転を継続することができない。このため、交流超伝導体を用いてほぼ均一で乱れのない理想的な回転磁場を形成する超電導マグネットあるいはそれを利用した電磁撹拌装置などの磁場発生装置や電動機、発電機などを実現することは困難である。【０００８】
さらに、銅線のような常伝導金属では問題になりにくいが、超電導線の場合は、亀の子形状に巻線できたとしても、線材を巻枠に押しつける力がほとんど０に近い巻線直線部においては大電流密度と強い交番磁界の影響により大きな電磁振動を生じやすい。このことは鞍型コイルのような、曲線部と直線部とを併せ持つ巻枠全般において言えることである。この電磁振動は巻線の温度上昇につながり、最悪の場合にはクエンチに至ってしまう。【０００９】
また、エポキシ樹脂などでコイル要素たる線材の間を固定した場合には、冷却用の液体ヘリウムが超電導線の間を流れずに十分な冷却ができないという問題が生ずる。交流超電導マグネットの場合には、通電中の交流損失などに起因する発熱によって臨界電流値が低下したり、巻線の温度が臨界温度を越えて上昇して瞬時に常伝導性に転移する、いわゆるクエンチを起こすなどの超電導特性上の障害が起こり易い。【００１０】
そこで、製作困難な亀の子形状に代えて、円形ないしレーストラック形状のコイルを回転磁界を与えようとする領域例えば坩堝の周りに配置して回転磁界を得ようとしても、磁界分布にむらが生じ磁束密度の変動も大きいことから、撹拌対象たる溶融金属の中に圧力勾配が局所的に生じて溶融金属の逆流、溶融金属の振動、坩堝全体のがたつきなどの問題を生ずる虞があり、効率の良い撹拌を行うことができない。また、磁界分布のむらを少なくするため、単純にコイル数を増やしていっても中心にまで届く磁束が発生しないために、回転磁界を与えようとする領域内例えば坩堝内において溶融金属を撹拌するようなほぼ均一で乱れのない回転磁界が得られ難い。【００１１】
さらに、発電機の固定子として、超電導線を亀の子状に巻いたコイルを用いる場合にも、組線工程の都合上１８０°配置とできず、若干いびつな形状となってしまうことから、回転時にアンバランスを生じる問題点がある。【００１２】
本発明は１８０°配置の亀の子状のマグネットと同等の理想的な回転磁界を発生可能な巻き線構造が形成できる超電導マグネットを提供することを目的とする。また、本発明は、交流超電導線を用いてむら無く均一で乱れのない回転磁界が得られる超電導マグネット並びに電磁撹拌装置、あるいは電動機若しくは発電機を提供することを目的とする。さらに、本発明は、交流通電時にも超電導特性上の障害が起こり難い超電導マグネット、具体的には電磁振動や交流損失などによる発熱によって臨界電流値が低下したり、巻線の温度が臨界温度を越えていわゆるクエンチを起こすことなどがない超電導マグネットを提供することを目的とする。
【課題を解決するための手段】
【００１３】
かかる目的を達成するため、本発明にかかる請求項１記載の超電導マグネットは、超電導線をレーストラック状に巻線した単コイルを、回転磁界を発生させようとする領域の中心を中心として同心状に内側に３個、その外側に３個ずつ少なくとも２層配置し、内層並びに外層の各コイルは互いに１２０°ずつずらして内層コイルと外層コイルとが対極に配置され、互いに対向する外層コイルと内層コイルとで形成される磁束の方向が同一方向となるように三相交流が通電されるようにしている。【００１４】
また、本発明の超電導マグネットにおいて、外層コイルは内層コイルの巻線よりも距離に按分して多く巻かれ磁界中心において発生する磁束密度を同じにしたものであることが好ましい。【００１５】
また、本発明の超電導マグネットにおいて、外層コイルと内層コイルの中心角は同じであることが好ましい。  【００１６】
また、本発明の超電導マグネットにおいて、外層のコイルは内層のコイルよりも縦方向を大きくして、内層のコイルの横方向の両端部が外層のコイルの中に入り込むことができるようにすることで、外層と内層のコイルを接近させることが好ましい。【００１７】
また、本発明の超電導マグネットにおいて、単コイルは樹脂などで固められたものでも良いが、巻枠に固定されているものであることが好ましい。【００１８】
ここで、巻枠は、コイル胴体の上下端に、コイル固定用のねじ穴が穿孔されている固定部が備えられ、該ねじ穴を利用して吊下げ用アングルをねじ止めして、上下方向に吊り下げ固定されるものであることが好ましい。【００１９】
さらに、巻枠において、コイル胴体の上下端には、コイル固定用のねじ穴が穿孔されている固定部が備えられ、該ねじ穴を利用して吊下げ用アングルをねじ止めして、上下方向に吊り下げ固定されるものであることが好ましい。【００２０】
また、巻枠において、外層コイルの両フランジ部には、さらにストレート部を固定するためのストレート部固定用ねじ穴を設け、巻線の上から板を当て、その板を巻枠にねじ込み強く押し当てることにより巻線の固定を強化しているものであることが好ましい。【００２１】
さらには、巻枠は、内層コイル並びに外層コイルのそれぞれのフランジの少なくとも一方には、ヘリウムガスを巻枠の外に抜くためのガス抜き穴が設けられ、前記スペーサで区切られた各段の超電導線の間からヘリウムガスを抜き出して、ヘリウム液が循環して超電導線が冷却されるように設けられているものであることが好ましい。【００２２】
また、本発明にかかる磁場発生装置は、上述の超電導マグネットを用いるようにしている。【００２３】
また、本発明にかかる磁場発生装置は電磁撹拌装置であり、溶融状態の導電性物質を収容する容器と、容器の周りに配置される上述の超電導マグネットを配置し、容器内に容れられた溶融状態の導電性物質に対して容器の周方向に移動する回転磁力線を発生させるようにしている。尚、撹拌対象となる溶融状態の導電性物質としては、金属の他、導電性プラスチックや導電性セラミックなどでも撹拌可能であるが、溶融金属であることが好ましい。【００２４】
また、本発明にかかる電動機は、上述の電磁場発生装置をステータコイルあるいは電機子コイルとして用いるものである。【００２５】
さらに、本発明にかかる発電機は、上述の超電導マグネットを用いて発電するものである。
【発明の効果】
【００２６】
請求項１記載の本発明の超電導マグネットによれば、レーストラック形状あるいは円形状の超電導線によって、対極である内層と外層のコイル間で同じ方向の磁束が発生しながらこれが周方向に移動するため、回転磁界を発生させようとする領域の中心を貫通し、かつほぼ均一で乱れのない強力な回転磁場が形成される。即ち、１８０°配置の理想的な形の亀の子状マグネットと同じ磁界分布の回転磁界が得られる。そして、このような回転磁界は、回転磁界を発生させようとする領域の内側特に中心付近において回転時にアンバランスを生じることがなくかつ磁場がかからない部分を発生させないため、均一でむらのない回転磁場が要求される磁場発生装置、特に電磁撹拌装置並びに電動機、発電機などのさまざまな装置において有用である。しかも、亀の子状に巻線する場合とは異なり屈曲する部分が存在しないので、超電導線を用いても巻線時に大きなダメージを受けることがないので、超電導特性の劣化が発生する虞が少なく、超電導特性上の障害が起こり難い。【００２７】
さらに、請求項２記載の超電導マグネットによれば、内層コイルと外層コイルとにそれぞれ同じ大きさの電流を流す場合にも磁界中心において発生する磁束密度を同じにすることができるので、内層コイルと外層コイルとを１つの商用電源で駆動でき、別々の電源を必要とする場合に比べて設備費を大幅に削減できる。しかも、磁界分布にむらがなく均一となるため、乱れのない回転磁界が得られる。【００２８】
さらに、請求項３記載の超電導マグネットによれば、磁界の回転に伴う変動がなくなる。【００２９】
さらには、請求項４記載の超電導マグネットによれば、内層の両側端部を外層コイルの内側に部分的に侵入させることにより、内層コイルと外層コイルとの距離を接近させて配置できるので、漏れ磁束が減って効率が良くなると共に磁場の不要な乱れが減らせる。また、内層コイルでの交流損失を無駄に増やさずに済むので、外層コイルのアンペアターンを下げられる。【００３０】
さらには、請求項５記載の超電導マグネットによれば、巻枠に超電導線が固定されることにより、電磁振動が抑制されるため、巻線の温度上昇に起因するクエンチを防ぐことができる。また、巻枠に固定されているので、電磁振動の抑制さらには電磁振動の抑制と超電導線の冷却の両立を可能としている。このため、超電導マグネットの特性の劣化が少なく、安定して駆動できる。したがって、従来の常伝導金属の亀の子状のマグネットを用いたときのほぼ均一で乱れのない理想的な磁場を、より格段に強力なものとして得ることができる。しかも、超電導マグネットの場合、大型化したほうが効率、構成上の容易さなどが向上するため、装置の実用化、大型化には非常に容易に対応できる。【００３１】
さらに、請求項６記載の超電導マグネットによれば、巻枠にスペーサを入れながら、巻線間に液体ヘリウムの流れる空間を確保して巻線することができるので、スペーサの厚み分だけコイル要素たる線材間に隙間が形成された状態で一定張力下に巻線され、密巻となることがない。しかも、スペーサを介して対向配置された巻線間に液体ヘリウムの流れる空間を確保して巻線することができるので、周方向に配置されたスペーサとスペーサとの間では巻線の列と列の間に液体ヘリウムを流す空間が形成されるため、確実な冷却が実現される。したがって、交流通電時の交流損失などに起因する発熱が起きても、液体ヘリウムで確実に冷却されるため、臨界電流値が低下したり、巻線の温度が臨界温度を越えて上昇して瞬時に常伝導性に転移する、いわゆるクエンチを起こすなどの超電導特性上の障害を起こすことが少ない。【００３２】
さらに、請求項７記載の超電導マグネットによれば、超電導マグネット全体が巻枠を介して装置本体などに固定されるため、交流通電によって生じる超電導コイル自体の発生磁場と電流とに起因する大きな電磁力によって、マグネット全体が振動することがない。したがって、電磁振動に起因する発熱でクエンチに至る虞が少なくなると共に超電導マグネットの大型化を可能とする。しかも、超電導マグネットの大型化は、より効率、構成上の容易さなどが向上する。そしてこのことは、装置の実用化、大型化に対して非常に容易に対応できることを意味している。【００３３】
さらに、請求項８記載の超電導マグネットによれば、線材を巻枠に押しつける力がほとんど０に近い直線部において超電導線材がコイル要素（線材）間の固定が十分にされるので、直線部において超電導線材が大電流密度と強い交番磁界の影響により大きな電磁振動を起こして発熱することがなく、クエンチに至る虞が少ない。【００３４】
さらに、請求項９記載の超電導マグネットによれば、超電導線を冷却することにより液体ヘリウムがガス化しても、ガス抜き穴から巻枠の外に流出されるため、常に超電導線の間には液体ヘリウムが流れて十分な冷却が維持されるので、通電中の交流損失などに起因する発熱が生じても、液体ヘリウムで確実に冷却されるため、臨界電流値が低下したり、巻線の温度が臨界温度を越えて上昇して瞬時に常伝導性に転移する、いわゆるクエンチを起こすなどの超電導特性上の障害を起こすことが少ない。【００３５】
また、上述の超電導マグネットを利用した請求項１０記載の磁場発生装置によれば、大電流を印加でき、非常に大きな撹拌磁界を印加することができるので、回転磁界を発生させようとする領域の中心を貫通し、かつほぼ均一で乱れのない理想的な磁場を、より格段に強力なものとして得ることができる。したがって、この磁場発生装置を電磁撹拌装置に適用すれば、常伝導金属の亀の子状のマグネットを用いた従来のものよりも格段に強力な電磁撹拌を行なうことができるので、従来混合できないような溶融金属の混合が可能になったり、密度差を利用した溶融金属の強力な分離に応用できる。特に、超電導マグネットの場合、大型化したほうが効率、構成上の容易さなどが向上するため、電磁撹拌装置の実用化、大型化に対して非常に容易に対応できる。また、理想的な巻線構造である亀の子状のマグネットと同様の磁界分布の回転磁界を得るので、溶融状態の導電性物質例えば溶融金属などを撹拌しようとする場合に、溶融状態の導電性物質中に圧力が無くなって圧力勾配が部分的にできてしまうことがなく、撹拌しようとする溶融状態の導電性物質の逆流が起きて液体が振動したり、容器全体ががたつくなどの問題を生ずることなく、効率の良い撹拌を可能とする。【００３６】
また、上述の電磁場発生装置をステータコイルあるいは電機子コイルとして用いる請求項１３記載の電動機によれば、変動が少なく回転バランスの良い、強力な電動機や発電機が構成できる。【００３７】
また、上述の超電導マグネットを用いて発電する請求項１４記載の発電機によれば、変動が少なくバランスの良い回転により、品質の良い電力を供給できる。
【図面の簡単な説明】
【００３８】
【図１】本発明の超電導マグネットの一実施形態を全体外観で示す斜視図である。
【図２】図１の超電導マグネットの平面図である。
【図３】図１の超電導マグネットの側面図である。
【図４】図１の超電導マグネットの概念を示す斜視図である。
【図５】図４のマグネット組み合わせの断面図である。
【図６】図４のマグネット組み合わせの回転磁界分布である。
【図７】図４のマグネット組み合わせの磁界の時間変化を示すグラフである。
【図８】本発明にかかる超電導マグネットを電磁撹拌装置に適用した実施形態の一例を示す全体構造を示す縦断面図である。
【図９】クライオスタットのマグネット収容部の横断面図であり、コイルの配置状態を示す。
【図１０】レーストラック形状のコイル枠体（巻枠）を示す正面図であり、内層コイルの枠体を仮想線で示して、大きさを比較して示している。
【図１１】図１０のコイル枠体の側面図である。
【図１２】図１０のコイル枠体のストレート部における横断面図である。
【図１３】図１０のコイル枠体を構成する第１のフランジの正面図である。
【図１４】第１のフランジの斜視図である。
【図１５】図１０のコイル枠体を構成するコイル胴体の正面図である。
【図１６】コイル胴体の平面図とストレート部における拡大横断面図である。
【図１７】図１０のコイル枠体を構成する第２のフランジの正面図である。
【図１８】スペーサの斜視図である。
【図１９】円筒形状のコイル枠体（巻枠）の一実施形態を示す平面図である。
【図２０】図１９の円筒形状のコイル枠体（巻枠）の第１のフランジの斜視図である。
【図２１】図１９の円筒形状のコイル枠体（巻枠）のコイル胴体の斜視図である。
【図２２】本発明の超電導マグネットの他の実施形態を平面図である。
【図２３】本発明の超電導マグネットのさらに他の実施形態を示す平面図である。
【図２４】常導電線で構成された亀の子コイルのイメージ図である。
【図２５】亀の子状コイルで構成したマグネットの模式図である。
【図２６】亀の子コイルによる回転磁界分布図である。
【図２７】亀の子コイルによる磁界の時間変化を示すグラフである。
【図２８】常導電線で構成された亀の子コイルでつくられた従来の電磁撹拌装置の一例を示す斜視図である。
【符号の説明】
【００３９】
１  単コイル
２  回転磁界を発生させようとする領域
Ｏ  回転磁界を発生させようとする領域の中心
１０  超電導マグネット  
１１    クライオスタット１１
１３  クライオスタット１１の内部空間（回転磁界を発生させようとする領域）
１４  容器（回転磁界を発生させようとする領域）
１５  コイル枠体
１６  コイル胴体
１７  第１のフランジ
１８  第２のフランジ
１９  スペーサ
２０  超電導線
２１  スペーサを装入する溝
２５  ストレート部固定用ねじ穴
２６  ストレート部を固定する板
２７  ガス抜き穴２７
θ  外層コイルと内層コイルの中心角
【発明を実施するための最良の形態】
【００４０】
以下、本発明の構成を図面に示す最良の形態に基づいて詳細に説明する。【００４１】
図１から図７に本発明の超電導マグネットの実施の一形態を示す。この超電導マグネットは、電磁撹拌に適用するためのものであり、磁束を溶融金属に貫通させる方が効率が良いため、３相２極で回転磁界を印加するように構成されている。尚、「マグネット」と「コイル」とは一般的に同義であり区別されずに使われることも多いが、主に積極的に電流を流して磁界を発生させるものが「マグネット」、磁界の変化を受けて電流を発生させるものが「コイル」と呼ばれている。しかし、本明細書においては、複数の超電導マグネットによって１つの磁場発生装置などを構成する場合には、装置全体と個々のマグネットとを区別するために、１つ１つの「マグネット」を「コイル」とも呼んでいる。【００４２】
この超電導マグネット１０は、６個の単コイル１で構成され、回転磁界を発生させようとする領域２の中心Ｏを中心として同心状に内側に３個、その外側に３個ずつ少なくとも２層配置し、内層並びに外層の各コイル１は互いに１２０°ずつずらすと共に内層コイルと外層コイルとが対極に配置され、互いに対向する外層コイルと内層コイルとで形成される磁束の方向が同一方向となるように三相交流が通電される。そして、２極貫通磁界を発生している。この構造の場合、それぞれのマグネット同士で交差することなく構成できる。ここで、各コイル１は、超電導線にかかる張力の方向が急激に変化することのない巻線構造、即ち屈曲する部分が存在しない環状物例えばレーストラック形状や真円形を含むものであり、ほぼ同じ平面上で巻回される平面的な形状のものであることが好ましい。したがって、同心状に単コイルを配置するとは、図２に示すように、回転磁界を発生させようとする領域２の中心Ｏを中心とする円の接線となるように配置されることを意味している。尚、本明細書において、レーストラック形状に巻線するとは、長尺なストレート部の両端に半円部をそれぞれ有するものの他、ストレート部の短い楕円形などを含むものであり、特に本来のレーストラック形状に限られる合理的理由がない限り、円筒形状を除外するものでもない。【００４３】
図２におけるコイル１は、１２０°位相差を有する三相交流をそれぞれ流すＡ，Ｂ，Ｃの３種類の内層コイルと、これらとそれぞれ結線されて逆向きに巻回されるＸ，Ｙ，Ｚの３種類の外層コイルとを設定している。コイル１の配置順序は、三相交流の各相のコイルをＡ，Ｂ、Ｃ、それらと逆の向きに巻いたコイルをＸ，Ｙ，Ｚとすると、例えばＡとＸ、ＢとＹ、ＣとＺがそれぞれ結線されて対向する位置関係となるように各コイルの位相差が６０°に設定されている。つまり、内層の３コイルは各々１２０°間隔で配置され、かつ外層の３コイルも各々１２０°間隔で配置されているが、内層のコイルと外層のコイルとの間では６０°ずつ互いにずれ、内層コイルと外層コイルのＡとＸ，ＢとＹ，ＣとＺが対極となるように配置されている。即ち、Ａが０°のとき、Ｚが６０°、Ｂが１２０°、Ｘが１８０°、Ｃが２４０°、Ｙが３００°である。したがって、コイル１に図示していない電源より三相交流の電流が供給されると、対極となる内層と外層の各コイル間で同じ方向の磁束が形成される。このとき、磁力線は各コイル毎に発生するが、隣り合うコイル同士の位相差や巻き方向、各コイルに流れる電流の変化によって回転磁界を発生させようとする領域２の中心Ｏを貫通する磁束が形成される。【００４４】
ここで、外層のＸ，Ｙ，Ｚの各コイル１は内層のＡ，Ｂ，Ｃの各コイル１の巻線よりも距離に按分して多く巻かれていることが好ましい。内層のコイルと外層のコイルとが同じ巻き数（アンペアターン数）であると、磁界のアンバランスが生じる。また、電磁力にも差が生ずるので、互いに干渉して振動する虞がある。この振動は、交流損失となって発熱を伴い、クエンチを起こすなど、超電導コイルにおいて著しく不利である。そこで、設備上同じ大きさの電流を流すことが有利であることから、本実施形態においては、外層コイルのターン数を内層のコイルのターン数よりも多くして、中心部においてなるべく同じ磁束密度となるようにしている。勿論、内層の３個のコイル１と外層の３個のコイル１とは、同じ巻数として異なる大きさの電流をそれぞれ流すことによって磁界中心において発生する磁束密度を同じにすることも可能である。この場合には異なる大きさの電流を供給する電源をそれぞれ必要とするため、設備コストが高くなる問題を有しているが、超電導マグネットそのものをコンパクトにすることができる。【００４５】
また、Ｘ，Ｙ，Ｚの外層のコイル１はＡ，Ｂ、Ｃの内層のコイル１よりも周方向（幅方向）に大きくして外層コイルと内層コイルの中心角θが同じとなるように設けられている。この場合、Ｘ，Ｙ，Ｚの外層のコイル１とＡ，Ｂ、Ｃの内層のコイル１とで形成される磁界の中心が一致するため、磁界の回転に伴う変動がなくなる。【００４６】
また、内層のコイル１（Ａ，Ｂ、Ｃ）と外層のコイル１（Ｘ，Ｙ，Ｚ）とは互いに接近させて配置することが好ましい。このように接近させることにより、漏れ磁束を減らすことができるので効率が良くなる。また、磁場の不要な乱れも減らせる。さらに、外層のコイルのアンペアターンを下げられるので、内層のコイルでの交流損失を無駄に増やさずに済む。つまり、磁界の強さはアンペアターンに比例し、距離に反比例する。したがって、内側のコイルと外側のコイルとが接近させられずに離れれば離れるほど、外側のコイルのアンペアターンを大きくしなければ中心における磁束密度を同じにできない。そして、アンペアターンを大きくすればするほど、その内側のコイルに与える交流損失が大きくなる。また、外側のコイルと内側のコイルとの距離が離れるに従って漏れ磁束が増えるので、効率が悪化すると共に磁場の乱れが生じる。そこで、Ｘ，Ｙ，Ｚの外層のコイル１をＡ，Ｂ、Ｃの内層のコイル１よりも縦方向（高さ方向）を一回り大きくして内層のコイルの両端が外層のコイルの中に入り込むことができる（図２に示すように上から見て重なるように）ようにすることで、外層と内層のコイルの接近配置を可能としている。これによりコスト的、効率的に相当有利になる。【００４７】
ここで、コイルは、図９に示すように、巻枠に巻き付けられて固定されることが好ましいが、これに特に限られるものではなく、場合によってはエポキシ樹脂などで固めて用いるようにしても良い。いずれにしても、レーストラック状に巻線することにより屈曲部を無くして巻線時のダメージを無くし、さらに直線部を巻枠に固定するか、あるいはエポキシ樹脂で固めることにより電磁振動を極力抑えるようにしている。【００４８】
以上のように構成された超電導マグネットにおける磁界分布を計算すると、図６に示すように、回転磁界を発生させようとする領域２の中心Ｏまで均一で強力な回転磁界を得られた。ここで、マグネット近傍での若干の磁界の乱れはあるが、超電導マグネットの場合、内側の回転磁界を発生させようとする領域２との間に液体ヘリウムの断熱領域があるため、実際に領域２内の被撹拌物質例えば溶融金属のような導電性物質に回転磁界が印加される部分における回転磁界は均一で安定したものとなり、図２６の亀の子形状のマグネットの場合と同様の回転磁界を与えることができていることから、問題がないものと思われる。また、回転磁界を発生させようとする領域２の中での磁界の時間変化を図７に示す。この図の破線βが回転磁界を発生させようとする領域２の中のデータであるが、中心部でも強い磁界が貫通し、安定して印加されていることがわかる。しかも、亀の子形状のマグネットの磁界の時間変化を示す図２６と比較して、ほぼ同等の安定度で、より強力な磁界印加が可能となることが明らかである。尚、回転磁界を得る目的の場合、あえて磁界の乱れを利用するような機器でない限り、磁界の乱れはデメリットであり、基本的にはあってはならないものと考えられる。例えば、電磁撹拌装置などに適用した場合、きれいな回転磁場が得られない場合は、液体金属に圧力変動が生じ、それが回転運動を乱す要因となるからである。尚、図６の磁界分布は図２のコイル配置において、内層のコイルと中心Ｏの間隔を４３ｍｍ、外層のコイルと中心Ｏの間隔を８４ｍｍとして、コイル厚み（巻枠を含む）を３８ｍｍとしたときのものである。【００４９】
以上のように構成された超電導マグネットは、交流電流により磁界を発生させるのに適した超電導マグネットであることから、磁場発生装置として様々な応用分野において利用することができる。例えば、貫通磁束により回転磁場を発生させる磁場発生装置並びにその回転磁場を利用して非接触で溶融状態にある導電性物質例えば溶融金属を撹拌する電磁撹拌装置、電動機及び発電機などに適用することができる。
【実施例】
【００５０】
図８〜図１８に本発明の超電導マグネットを電磁撹拌装置に適用した実施の一例を示す。本実施例の電磁撹拌装置は、超電導マグネット１０を浸漬したクライオスタット１１の環状の超電導マグネット収容部１２の内部空間１３に磁場をかける物体つまり溶融状態にある導電性物質例えば金属（以下、溶融金属と呼ぶ）を収容する容器（回転磁界を発生させようとする領域２）１４が図示しない架台などに搭載されて収納されるものである。ここで、容器１４は、予め高周波加熱などにより加熱された後に、図示していない昇降装置によってクライオスタット１１の内部空間１３に装入される。そして、所定の電磁撹拌工程が終了した後、凝固させながら、あるいは凝固後に昇降装置の降下により取り出されるように設けられている。尚、クライオスタット１１は、冷却液体例えばヘリウムを貯留し、コイル収容部１２に図１〜図３に示す超電導マグネット１０を収容させることにより、コイルをヘリウムにどぶ付けして冷却可能としたものである。【００５１】
ここで、単コイル１は、レーストラック形状のコイル枠体１５に巻かれて固定されている。コイル枠体１５は、超電導線２０を巻回するレーストラック形状（楕円形筒形状）のコイル胴体１６と、その両側縁でそれぞれ超電導線２０の脱落を防止するレーストラック形状の第１及び第２のフランジ１７，１８とを備え、第１及び第２のフランジ１７，１８の間にスペーサ１９を介して超電導線２０が巻回されている。コイル枠体（巻枠）１５にスペーサ１９を入れながら巻線することにより密巻を回避し、巻線間に液体ヘリウムの流れる空間を確保することができるので、交流損失による発熱を避けることが可能となる。【００５２】
スペーサ１９は、図１２に示すように、コイル胴体１６を挟んで対向した第１及び第２のフランジ１７，１８の内側面にそれぞれ形成された放射方向の溝２１にスペーサ１９を嵌め込んで超電導線２０を巻回可能としている。スペーサ１９は例えば図１８に示すような薄板状のガラス繊維強化プラスチック（ＦＲＰ）を積層することによって形成され、両端に各フランジ１７，１８の内側面の溝２１と嵌合する係止部１９ａを備えると共にそれら係止部１９ａの間に超電導線２０を２層程度巻回可能とする溝１９ｂが形成されている。スペーサ１９は超電導線２０を保持すると共に線同士の密着を防いでヘリウム液が通る空間をつくるためのものである。コイル胴体１６とその両側の第１及び第２のフランジ１７，１８は、それぞれ一定ピッチで設けられた取付用のネジ穴２２を利用してコイル胴体１６とネジ止めと接着によって一体化されている。【００５３】
コイル胴体１６の上下端（半円形部）には、図１５に示すように、半円形状の固定部１６ａが設けられ、その両面にコイル固定用のねじ穴１６ｂが穿孔されている。このねじ穴１６ｂを利用して、半円形の固定部１６ａに吊下げ固定手段例えばアングル２３をねじ止めして、そこに固定手段例えば上下方向に延びるに支持棒２４を通し固定する。また、各コイルのコイル枠体１５の両フランジ部１７，１８には、さらにストレート部を固定するためのストレート部固定用ねじ穴２５を設けている。レーストラックコイルのストレート部はコイル胴体１６へ向けて超電導線２０を押しつける張力を付与できないので固定が難しいため、超電導線２０の上から板２６を当て、その板２６を巻枠１５にねじ込み強く押し当てることにより超電導線２０の固定を強化している。【００５４】
さらに、図１３及び１４に示すように、内層コイル並びに外層コイルのそれぞれの少なくとも一方のフランジ１７には、ヘリウムガスを巻枠１５の外に抜くためのガス抜き穴２７が設けられている。このガス抜き穴２７は、スペーサ１９を積み重ねる方向に長い長穴あるいは円形穴であり、スペーサ１９で区切られた各段の超電導線２０の間からヘリウムガスを抜き出して、ヘリウム液の循環を促して超電導線２０が冷却されるように設けられている。【００５５】
また、フランジ１８には、図１７に示すように電流端子固定用ねじ穴２８が設けられている。このねじ穴２８は、コイルの巻きはじめと巻き終わりを接続するためのもので、この部分に超電導線２０を半田付けする電流端子が取り付けられる。本実施形態の場合、メンテナンス性を考え、コイル単独で取り外したりテストができるように、電流端子板を巻枠１５に固定しうるようにコイル巻線の直近で例えば銅板などから成る電流端子と接続させる構造にしている。【００５６】
超電導線２０としては、巻線の張力を確保するストレスメンバーとして中心にＣｕ１０％Ｎｉ線を入れ、その周りにＰＶＦ付きφ０．３ｍｍの素線（裸径０．２５ｍｍ）を６本均等に配置した外径１ｍｍ程度の７本撚り線を使用した。言うまでもないが、ストレスメンバーのある撚り線であれば、１＋８本や２重撚り線など、あらゆる撚り線が使用可能である。また、ストレスメンバーとしては、Ｃｕ１０％Ｎｉ線に限られず、ＳＵＳ、Ｃｕ３０％Ｎｉ線などが用いられることもある。【００５７】
ここで、電磁撹拌装置用の容器１４は、磁力線を貫通させ易い材質でかつ撹拌しようとする溶融金属の融点よりも高い融点の材料、例えば透磁率の低いオーステナイト系ステンレス、銅やアルミニウムなどの非鉄金属、黒鉛、セラミックなどで溶融金属を撹拌させるに十分な容積と撹拌に適した形状に形成されている。尚、本実施形態ではクライオスタットの環状部の断面形状は円環状とされているが、特にこれに限られるものではなく、矩形状あるいは三角形若しくは多角形状、楕円形状などの様々な形状において実施可能である。【００５８】
この容器１４とクライオスタット１１のマグネット収容部１２の内壁面との間には断熱構造物（図示省略）が介在され、容器１４から放射される溶融金属からの輻射熱を遮蔽してクライオスタット１１内の液体ヘリウムの蒸発を防いでいる。断熱構造物は、容器１４とクライオスタット１１の超電導マグネット収容部１２との間に介在されることで、容器１４の外壁面から放射される輻射熱を遮蔽すると同時に磁力線を貫通させる必要があるので、例えば比透磁率が１に近いオーステナイト系ステンレス、銅やアルミニウムなどの非鉄金属、黒鉛、セラミックなどで構成されており、容器１４を包み込むように筒形に形成されている。【００５９】
以上のように構成された電磁撹拌装置によると、クライオスタット１１の内部空間１３へ装入された容器１４内の溶融金属には、図１〜図３の配置のレーストラック形状あるいは円形状の超電導マグネット１０によって、回転磁界を得るのに理想的な巻線構造と考えられる１８０°配置の亀の子状のマグネットと同等あるいはそれ以上の回転磁界が形成される。即ち、回転磁界を発生させようとする領域の中心を貫通し、かつほぼ均一で乱れのない強力な回転磁場が形成される。このような回転磁界は、磁場がかからない部分が発生しないため、溶融状態の導電性物質例えば溶融金属などを撹拌しようとする電磁撹拌装置に利用する場合には、溶融状態の導電性物質中に圧力が無くなって圧力勾配が部分的にできてしまうことがないので、撹拌使用とする溶融状態の導電性物質の逆流が起こることがなく、液体が振動したり、容器全体ががたつくなどの問題を生ずる虞が無く、効率の良い撹拌を可能とする。また、回転周波数を制御することにより、金属表面に表皮効果を起こし、回転電磁力が加わる深さを制御できる。この場合には、回転深さを制御して、回転電磁力が加わらない領域は、液体金属の粘性で回転することになり、剛性回転を避けられる。【００６０】
なお、上述の実施形態は本発明の好適な実施の一例ではあるがこれに限定されるものではなく、本発明の要旨を逸脱しない範囲において種々変形実施可能である。例えば本実施形態では、電磁撹拌装置に適用した例を挙げて主に説明したが、本発明の超電導マグネットによる回転磁界の利用技術は限られず、その他の磁場発生装置や誘導電動機などの電動機、発電機などに対しても適用可能である。超電導マグネットをステータコイルあるいは電機子コイルとして利用し回転機を作る場合、発生磁界が強い、鉄心を使うメリットがない場合がある（飽和磁束、冷却効率）などの点から、あえて漏れ磁束の不利があっても磁束を貫通させる本発明の超電導マグネットの方が有利な場合がある。また、回転磁場の利用技術としては、例えば単結晶引き上げ装置において交流回転磁場を印加したり、連続鋳造において鋳型内の未凝固部の溶融金属に対して強力な撹拌を与えて結晶成長の制御を行うことを可能とする。例えば、等軸樹枝状晶を増し、最終凝固位置の溶質元素の偏析を多数の等軸晶間に分散することが可能となる。  【００６１】
また、本実施形態では、内層３個、外層３個から成る６個のコイルを１組として少なくとも２層配置した３相２極で回転磁界を印加する構成とされているが、これに特に限定されるものではなく、例えば図２２に示すように、さらに外側に内層３個外層３個の２組目のコイルを配置した４層のコイルから成る超電導マグネットとしても良い。この場合、１層目と３層目のコイルが同じ法線上に配置され、２層目と４層目とが同じ法線上に配置されて、同様に通電される。つまり、１層目と３層目並びに２層目と４層目との間で形成される磁界は同じになり、３相２極で回転磁界が形成される。この場合、メリットとして、外側のコイルに加わる磁界は小さくできるので交流損失を抑制できる。また、各コイルの巻線を少なくすることができ、直線部で受ける電磁力による機械振動を抑えることができる。更に、コイルの冷却も、各コイルによる発熱を分散させることができるため容易になりうる。なお、内側のコイルに加わる磁界が大きくなることによる交流損失が増えることが考えられるが、それは内側のコイルに低損失な超電導線を用い、外側のコイルに交流損失は多少大きくても臨界電流の大きな超電導線を用いるなどの工夫を行うことにより抑制することができる。また、図２３に示すように、通電電源を６層にして、１層目と３層目を６０°ずらして配置しても良いし、９層電源にして１，３，５層目を３０°ずつずらすようにしても良い。【００６２】
また、本実施形態では、外層側のコイルの巻線数を内層側のコイルの巻き線数に対して距離に按分して多く巻くようにして、磁界をかけようとする領域の中心における磁束密度が同じになるようにしているが、外層側のコイルと内層側のコイルとで流す電流の大きさを制御できる設備を備えるのであれば、巻き線数は同じでもかまわない。もっとも、層毎に流す電流の大きさを変える電源設備のコストは超電導線材のコストよりも遙かに高額なものとなるので、巻き線数を内側の層のコイルよりも外側の層のコイルの方が多くなるように巻く、あるいは外側のコイルよりも内側のコイルの巻き数の方が少なくなるように巻くことによって、中心の磁束密度を同じになるように調整する方が安価なものとなる。【００６３】
また、内コイルと外コイルとを接近させて配置するために、外コイルを内コイルよりも一回り大きくすることが有利であるが、必ずしも接近させずとも外側のコイルのアンペアターンを大きくすることにより坩堝へ同じ磁界を印加することはできる。また、あえて磁界の乱れを利用するような機器のように、内コイルと外コイルとを離すことが望まれる場合もある。【００６４】
さらに、本実施形態では、単コイルは図１に示すストレート部の両端に半円部をそれぞれ有する楕円形のレーストラック形状を成す巻枠に固定されたものを挙げて主に説明したが、これに特に限られるものではなく、場合によっては図１９〜図２１に示すような真円形の巻枠に固定されたレーストラック形状の単コイルであっても良い。この場合においても、内コイルと外コイルとを接近させて配置するために、外コイルを内コイルよりも一回り大きくすることが有利であるが、外層側のコイルの巻線数を内層側のコイルの巻き線数に対して距離に按分して多く巻くようにして、磁界をかけようとする領域の中心における磁束密度が同じになるようにしているすることは効果的であることはいうまでもない。また、真円形のコイルの場合、線材を巻枠に押しつける力がほとんど０に近くなる直線部が存在しないため、超電導線材が大電流密度と強い交番磁界の影響により大きな電磁振動を生じ難く、これに起因する発熱でクエンチに至る虞もなくなる。尚、図中の符号において図１０〜図１８において付されているものと同じ符号は枠体の形状を除いて同様の構造のものである。【００６５】
さらに、単コイルは巻枠に固定されていなくとも良く、内部を冷却液が通る超電導線であればエポキシ樹脂などで固めても良い。コイルの中に冷却液例えば液体ヘリウムを循環させる構造を有する超電導線を用いる場合には必ずしもコイルの表面を液体ヘリウムに接触させる必要もなければ、液体ヘリウムを貯留するクライオスタットのようなものも不要である。
【図１】
2007032472.tif 000002
【図２】
2007032472.tif 000003
【図３】
2007032472.tif 000004
【図４】
2007032472.tif 000005
【図５】
2007032472.tif 000006
【図８】
2007032472.tif 000007
【図９】
2007032472.tif 000008
【図１０】
2007032472.tif 000009
【図１１】
2007032472.tif 000010
【図１２】
2007032472.tif 000011
【図１３】
2007032472.tif 000012
【図１４】
2007032472.tif 000013
【図１５】
2007032472.tif 000014
【図１６】
2007032472.tif 000015
【図１７】
2007032472.tif 000016
【図１８】
2007032472.tif 000017
【図１９】
2007032472.tif 000018
【図２０】
2007032472.tif 000019
【図２１】
2007032472.tif 000020
【図２２】
2007032472.tif 000021
【図２３】
2007032472.tif 000022
【図２８】
2007032472.tif 000023
【図６】
2007032472.tif 000024
【図７】
2007032472.tif 000025
【図２４】
2007032472.tif 000026
【図２５】
2007032472.tif 000027
【図２６】
2007032472.tif 000028
【図２７】
2007032472.tif 000029
【手続補正書】
【提出日】平成19年6月29日(2007.6.29)
【手続補正１】
【補正対象書類名】特許請求の範囲
【補正対象項目名】請求項１
【補正方法】変更
【補正の内容】
【請求項１】
超電導線をレーストラック状に巻線した単コイルを、回転磁界を発生させようとする領域の中心を中心として同心状に内側に３個、その外側に３個ずつ少なくとも２層配置し、前記内層並びに外層の各コイルは互いに１２０°ずつずらして前記内層コイルと前記外層コイルとが対極に配置され、互いに対向する前記外層コイルと前記内層コイルとで形成される磁束の方向が同一方向でかつ前記回転磁界の中心において同じ磁束密度となる磁束を三相交流の通電により発生させる超電導マグネット。
【手続補正２】
【補正対象書類名】明細書
【補正対象項目名】０００４
【補正方法】変更
【補正の内容】
【０００４】
も、磁界分布にむらが生じ磁束密度の変動も大きいことから、撹拌対象たる溶融金属の中に圧力勾配が局所的に生じて溶融金属の逆流、溶融金属の振動、坩堝全体のがたつきなどの問題を生ずる虞があり、効率の良い撹拌を行うことができない。また、磁界分布のむらを少なくするため、単純にコイル数を増やしていっても中心にまで届く磁束が発生しないために、回転磁界を与えようとする領域内例えば坩堝内において溶融金属を撹拌するようなほぼ均一で乱れのない回転磁界が得られ難い。
［００１１］
さらに、発電機の固定子として、超電導線を亀の子状に巻いたコイルを用いる場合にも、組線工程の都合上１８０°配置とできず、若干いびつな形状となってしまうことから、回転時にアンバランスを生じる問題点がある。
［００１２］
本発明は１８０°配置の亀の子状のマグネットと同等の理想的な回転磁界を発生可能な巻き線構造が形成できる超電導マグネットを提供することを目的とする。また、本発明は、交流超電導線を用いてむら無く均一で乱れのない回転磁界が得られる超電導マグネット並びに電磁撹拌装置、あるいは電動機若しくは発電機を提供することを目的とする。さらに、本発明は、交流通電時にも超電導特性上の障害が起こり難い超電導マグネット、具体的には電磁振動や交流損失などによる発熱によって臨界電流値が低下したり、巻線の温度が臨界温度を越えていわゆるクエンチを起こすことなどがない超電導マグネットを提供することを目的とする。
課題を解決するための手段
［００１３］
かかる目的を達成するため、本発明にかかる請求項１記載の超電導マグネットは、超電導線をレーストラック状に巻線した単コイルを、回転磁界を発生させようとする領域の中心を中心として同心状に内側に３個、その外側に３個ずつ少なくとも２層配置し、内層並びに外層の各コイルは互いに１２０°ずつずらして内層コイルと外層コイルとが対極に配置され、互いに対向する外層コイルと内層コイルとで形成される磁束の方向が同一方向でかつ前記回転磁界の中心において同じ磁束密度となる磁束を三相交流の通電により発生させるようにしている。
［００１４］
また、本発明の超電導マグネットにおいて、外層コイルは内層コイルの巻線よりも距離に按分して多く巻かれ磁界中心において発生する磁束密度を同じにしたものであることが好ましい。
［００１５］
また、本発明の超電導マグネットにおいて、外層コイルと内層コイルの中心角は同
【国際調査報告】
2007032472.tif 000030
2007032472.tif 000031
2007032472.tif 000032
2007032472.tif 000033